(57)【要約】      （修正有）【課題】本発明は、媒体に付与された磁性体が磁界を受けて発する信号の検知結果に基づき媒体の識別情報を検知する磁性体検知装置において、漏洩磁界の影響による磁性体の誤検知を防止し、媒体の識別情報を確実に検知する磁性体検知装置を提供する。【解決手段】媒体に付与された磁性体に磁界を与えて該磁性体が発するパルス信号の検知信号から所定の閾値を越えるパルス信号を抽出するパルス抽出回路と、予め設定した時間内にパルス抽出回路の出力が生じない場合は立ち下がるパルス信号を発生する第１のパルス信号発生回路と、第１のパルス信号発生回路の出力を積分する積分回路と、積分回路の出力が所定の上限値以上になると立ち上がり、積分回路の出力が所定の下限値以下となると立ち下がるパルス信号を発生する第２のパルス信号発生回路と、第２のパルス信号発生回路の出力に基づき媒体を識別する識別回路を具備する。【選択図】  図７
2006250871.tif 000002
【特許請求の範囲】
【請求項１】
媒体に磁性体を付与し、該磁性体に所定の交番磁界を与えることにより該磁性体の磁化反転時に発生されるパルス信号を含む検知信号を検出し、該検知信号に基づき該媒体を識別する磁性体検知装置において、
前記検知信号から所定の閾値を越えるパルス信号を抽出するパルス抽出回路と、
前記パルス抽出回路の出力により立ち上がり、予め設定した時間以内に前記パルス抽出回路の出力が生じない場合は立ち下がるパルス信号を発生する第１のパルス信号発生回路と、
前記第１のパルス信号発生回路の出力を積分する積分回路と、
前記積分回路の出力が所定の上限閾値以上になると立ち上がり、前記積分回路の出力が所定の下限閾値以下となると立ち下がるパルス信号を発生する第２のパルス信号発生回路と、
前記第２のパルス信号発生回路の出力に基づき前記媒体を識別する識別回路と
を具備することを特徴とする磁性体検知装置。
【請求項２】
前記パルス抽出回路は、
前記検知信号と所定の閾値とを比較し、前記検知信号が前記所定の閾値を越えるパルスを選択出力する第１のコンパレータ
を含むことを特徴とする請求項１記載の磁性体検知装置。
【請求項３】
前記第１のパルス発生回路は、
所定のパルス幅が設定された再トリガ単安定マルチバイブレータ
を含むことを特徴とする請求項１または２記載の磁性体検知装置。
【請求項４】
前記第２のパルス発生回路は、
前記積分器の出力と所定の上限閾値とを比較し、前記積分器の出力が前記上限閾値以上になると比較出力を発生する第２のコンパレータと、
前記積分器の出力と所定の下限閾値とを比較し、前記積分器の出力が前記下限閾値以下になると比較出力を発生する第３のコンパレータと、
前記第２のコンパレータの出力によりセットされ、前記第３のコンパレータの出力によりリセットされるフリップフロップと
を含むことを特徴とする請求項１乃至３のいずれかに記載の磁性体検知装置。
【請求項５】
前記識別回路は、
前記第２のパルス発生回路から出力されるパルスを計数するカウンタ
を含み、該カウンタの計数値に基づき前記媒体を識別することを特徴とする請求項１乃至４のいずれかに記載の磁性体検知装置。
【請求項６】
前記識別回路は、
前記第２のパルス発生回路から出力されるパルスの発生パターンを検出するパターン検出回路を
を含み、該パターン検出回路の検出パターンに基づき前記媒体を識別することを特徴とする請求項１乃至４のいずれかに記載の磁性体検知装置。
【発明の詳細な説明】
【技術分野】
【０００１】
この発明は、磁性体検知装置に関し、特に、媒体に付与された磁性体に所定の磁界を与え、磁性体が発する信号の検知結果に基づき媒体の識別情報を検知する磁性体検知装置において、漏洩磁界により磁性体が発する信号の影響による磁性体の誤検知を防止するとともに、媒体の識別情報を確実に検知する磁性体検知装置に関する。
【背景技術】
【０００２】
近年、物品等の商品を扱う店舗においては、商品の盗難等を防止するために商品にタグを貼付し、このタグが貼付された商品が、店舗の出入口付近にゲート状に設置されたタグ検知装置を通過した際に、これらタグの状態を１ビットのＯＮ／ＯＦＦで検知し、清算済みかどうかを判断して万引盗難を防止するようなシステムが提案されている。
【０００３】
タグの種類としては、ＲＦＩＤ（＝Ｒａｄｉｏ  Ｆｒｅｑｕｉｅｎｃｙ  ＩＤｅｎｔｉｆｉｃａｔｉｏｎ）タグや磁性材を使用したタグ等が用いられており、これらのタグをタグの近傍もしくは遠隔で正確に検知できるようなタグ検知装置も各種提供されている。
【０００４】
しかしながら、商品が持ち運ばれることで商品に貼付されたタグが移動する、もしくは何らかの搬送手段により搬送されて移動しているタグをタグ検知装置によりタグの近傍もしくは遠隔で検知する場合には、タグ近傍の環境によるノイズやタグ検知装置とタグとの位置関係に伴う不安定な検出信号が検出される場合があり、これらの信号によるタグの誤検知を防止するとともに、移動するタグを確実に検知する信頼性の高い検知装置や方法の提供が求められている。
【０００５】
例えば、特許文献１には、媒体通過検知時のノイズやチャタリングに強く応答の速い媒体通過検知方式が提案されている。
【特許文献１】特開昭６１−１８１９８８号公報
【発明の開示】
【発明が解決しようとする課題】
【０００６】
上記特許文献１に示される提案は、媒体の搬送路に設けたセンサからの出力信号を複数ビットのシフトレジスタに入力し、該シフトレジスタでサンプリングによるシフトされた一定時間の出力状態を演算回路に送り、該演算回路でセンサからの出力が変化した際のシフトレジスタからの情報のオンまたはオフの比率が所定値を超えたことを判定し、媒体通過の有無を検知するように構成されたものである。
【０００７】
しかし、特許文献１には、所定の磁界を与えることで磁化反転時に急峻な磁気パルスを発する磁性体が付与された媒体が搬送されて移動することで、媒体に付与された磁性体が発する磁気パルスの検出信号が不安定な状態で検出され、この不安定な検出信号の影響を除去して媒体に付与された磁性体を確実の検知する装置及び方法は、提案されていない。
【０００８】
そこで、この発明は、媒体に付与された磁性体に所定の磁界を与え、磁性体が発する信号の検知結果に基づき媒体の識別情報を検知する磁性体検知装置において、漏洩磁界により磁性体が発する信号の影響による磁性体の誤検知を防止するとともに、媒体の識別情報を確実に検知する磁性体検知装置を提供することである。
【課題を解決するための手段】
【０００９】
上記目的を達成するため、請求項１の発明は、媒体に磁性体を付与し、該磁性体に所定の交番磁界を与えることにより該磁性体の磁化反転時に発生されるパルス信号を含む検知信号を検出し、該検知信号に基づき該媒体を識別する磁性体検知装置において、前記検知信号から所定の閾値を越えるパルス信号を抽出するパルス抽出回路と、前記パルス抽出回路の出力により立ち上がり、予め設定した時間以内に前記パルス抽出回路の出力が生じない場合は立ち下がるパルス信号を発生する第１のパルス信号発生回路と、前記第１のパルス信号発生回路の出力を積分する積分回路と、前記積分回路の出力が所定の上限閾値以上になると立ち上がり、前記積分回路の出力が所定の下限閾値以下となると立ち下がるパルス信号を発生する第２のパルス信号発生回路と、前記第２のパルス信号発生回路の出力に基づき前記媒体を識別する識別回路とを具備することを特徴とする。
【００１０】
また、請求項２の発明は、請求項１の発明において、前記パルス抽出回路は、前記検知信号と所定の閾値とを比較し、前記検知信号が前記所定の閾値を越えるパルスを選択出力する第１のコンパレータを含むことを特徴とする。
【００１１】
また、請求項３の発明は、請求項１または２の発明において、前記第１のパルス発生回路は、所定のパルス幅が設定された再トリガ単安定マルチバイブレータを含むことを特徴とする。
【００１２】
また、請求項４の発明は、請求項１乃至３のいずれかの発明において、前記第２のパルス発生回路は、前記積分器の出力と所定の上限閾値とを比較し、前記積分器の出力が前記上限閾値以上になると比較出力を発生する第２のコンパレータと、前記積分器の出力と所定の下限閾値とを比較し、前記積分器の出力が前記下限閾値以下になると比較出力を発生する第３のコンパレータと、前記第２のコンパレータの出力によりセットされ、前記第３のコンパレータの出力によりリセットされるフリップフロップとを含むことを特徴とする。
【００１３】
また、請求項５の発明は、請求項１乃至４のいずれかの発明において、前記識別回路は、前記第２のパルス発生回路から出力されるパルスを計数するカウンタを含み、該カウンタの計数値に基づき前記媒体を識別することを特徴とする。
【００１４】
また、請求項６の発明は、請求項１乃至４のいずれかの発明において、前記識別回路は、前記第２のパルス発生回路から出力されるパルスの発生パターンを検出するパターン検出回路を含み、該パターン検出回路の検出パターンに基づき前記媒体を識別することを特徴とする。
【発明の効果】
【００１５】
この発明の磁性体検知装置によれば、媒体に磁性体を付与し、該磁性体に所定の交番磁界を与えることにより該磁性体の磁化反転時に発生されるパルス信号を含む検知信号から所定の閾値を越えるパルス信号を抽出するパルス抽出回路と、パルス抽出回路の出力により立ち上がり、予め設定した時間以内に前記パルス抽出回路の出力が生じない場合は立ち下がるパルス信号を発生する第１のパルス信号発生回路と、第１のパルス信号発生回路の出力を積分する積分回路と、積分回路の出力が所定の上限閾値以上になると立ち上がり、前記積分回路の出力が所定の下限閾値以下となると立ち下がるパルス信号を発生する第２のパルス信号発生回路と、第２のパルス回路の出力に基づき媒体を識別する識別回路とを具備するので漏洩磁界により磁性体が磁化反転し、その際に発せられるパルス信号の影響による磁性体の誤検知を防止することができる。
【００１６】
また、磁性体が付与された媒体が連続して高速で移動する場合であっても媒体に付与された磁性体を確実に検知することができる。
【００１７】
また、媒体に付与された磁性体が確実に検知されるので磁性体が付与されて表現された媒体の識別情報が確実に検知されるという効果を奏する。
【発明を実施するための最良の形態】
【００１８】
この発明に係わる磁性体検知装置は、有価証券等の不正複写による偽造防止、機密情報や個人情報等の情報漏洩防止、あるいは文書管理等を目的として、例えば印刷機や複写機等に適用され、情報を印刷または複写する用紙として用紙固有の識別情報が付与された専用紙が用いられ、専用紙の識別情報と、専用紙に印刷または複写された情報とを対応付けて管理することで、文書管理が可能な複写機または印刷機等として用いられる。
【００１９】
また、管理された機密情報や有価証券等が本発明に係わる磁性体検知装置が装備された複写機等で複写されようとした場合は、機密情報等が印刷された専用紙または有価証券等に付与された識別情報を磁性体検知装置が読み取り、読み取った識別情報に基づき複写動作禁止等の制御を行うことで機密情報や有価証券等の不正複写を防止し情報漏洩防止、機密保持、偽造防止等を図る。
【００２０】
本実施例においては、本発明に係わる磁性体検知装置を複写機に適用した場合を想定し、磁性体である磁性ワイヤーが複数用いられて表現された識別情報が付与された専用紙の磁性ワイヤーの検知結果に基づき専用紙の識別情報を検知する方法を例として説明する。
【実施例１】
【００２１】
以下、本発明に係わる磁性体検知装置を複写機に適用した一例について添付図面を参照して詳細に説明する。
【００２２】
図１は、本発明に係わる磁性体検知装置を適用した複写機１００の要部の構成を概略的に示したブロック図である。
【００２３】
図１に示すように、複写機１００は、複写機１００のプラテンガラス３上にプラテンカバー２で押えられた原稿１を光学的に走査して原稿１から画情報を読み取り、読み取った画情報（説明の便宜上、「読取画情報」という）に所定の画像処理を施して印刷出力用の出力画像データを出力する画像処理部２０と、用紙トレイ４から給紙された専用紙１０上に画像処理部２０から出力された出力画像データに対応した画情報を印刷する画像形成部５０（図中の破線で囲まれた部分）と、画情報が印刷された専用紙１０から専用紙１０に付与されている図示せぬ磁性ワイヤーが所定の磁界を受けることで発する信号を検知し、検知結果に基づき専用紙１０の識別情報を検知する磁性体検知装置３０と、磁性体検知装置３０で検知した専用紙１０の識別情報と当該専用紙１０に印刷された画情報とを対応付けて記憶管理する図示せぬデータベースと、複写機１００全体を統括制御する制御部４０とを備えている。
【００２４】
また、画像形成部５０は、画像処理部２０から出力された出力画像データに応じてレーザ光を感光ドラム５２へ照射して感光ドラム５２の走査露光制御を行う露光制御部５１と、露光制御部５１の走査露光制御により感光ドラム５２表面上に形成された潜像を各色のトナーで現像してトナー画像を形成する現像器５３と、現像器５３により感光ドラム５２上に形成されたトナー画像を転写する転写ドラム５４と、転写ドラム５４上に形成されたトナー画像を用紙トレイ４から給紙された専用紙１０上に定着させる定着装置５５とを備えている。
【００２５】
用紙トレイ４に蓄積収納されている専用紙１０には、専用紙１０を識別可能とする識別情報が付与されており、この専用紙１０の識別情報と専用紙１０に印刷された画情報とを対応付けて文書管理が行われる。
【００２６】
専用紙１０の識別情報は、識別情報に対応付けされた少なくとも一種類以上の複数の磁性ワイヤーが専用紙１０に予め付与されて表現されており、画情報が印刷された専用紙１０が排紙トレイ５に排紙される途上で磁性体検知装置３０により検知され読み取られる。
【００２７】
具体的には、排紙トレイ５と画像形成部５０との間に配置された磁性体検知装置３０の励磁コイル３１及び検知コイル３２の直下を専用紙１０が所定の速度で搬送されて移動することで、専用紙１０に付与された複数の磁性ワイヤーが励磁コイル３１により順次励磁され、該励磁により複数の磁性ワイヤーから順次発生される信号が検知コイル３２を介して順次検知され、検知結果に基づき磁性体検知装置３０が専用紙１０に付与された複数の磁性ワイヤーで表現された識別情報を検知して読み取るように構成されている。
【００２８】
このように構成された複写機１００が原稿１の画情報を専用紙１０に複写印刷し、原稿１の画情報と当該画情報が印刷された専用紙１０とを対応付けて文書管理するまでの処理動作について簡単に説明すると次のような動作となる。
【００２９】
ユーザが複写機１００のプラテンカバー２を開き、複写したい原稿１をプラテンガラス３上に載置後、プラテンカバー２を閉じて図示せぬ複写開始ボタンを押下すると、制御部４０の指令により画像処理部２０がプラテンガラス３上の原稿１をスキャンして原稿１から画情報を読み取り、原稿１から読み取った読取画情報に対して所定の画像処理を施して印刷出力用の出力画像データを生成して画像形成部５０の露光制御部５１へ出力する。
【００３０】
画像形成部５０の露光制御部５１は、画像処理部２０から出力された出力画像データに基づきレーザ光を感光ドラム５２上に照射する走査露光の制御を行う。
【００３１】
感光ドラム５２は、図示せぬ駆動手段により図中の矢印方向に沿って所定の速度で回転しており、感光ドラム５２の表面が一様に帯電された後、露光制御部５１で制御されたレーザ光の走査露光により感光ドラム５２の表面上に出力画像データに対応した静電潜像が形成され、静電潜像に対応したそれぞれの色のトナーが現像器５３から供給されトナー象が形成される。
【００３２】
なお、現像器５３には、例えば、イエロー（Ｙ）、マゼンタ（Ｍ）、シアン（Ｃ）、ブラック（Ｋ）等の現像剤が導入されている。
【００３３】
感光ドラム５２の表面上に形成されたトナー像は、用紙トレイ４から給紙されて転写ドラム５４上に保持された専用紙１０へ静電力によって転写され、専用紙１０とともに定着装置５５へ搬送されて定着装置５５により専用紙１０上へ熱定着される。
【００３４】
原稿１の画情報に対応したトナー象が熱定着されて印刷された専用紙１０は、排紙トレイ５へ排紙される途上で磁性体検知装置３０の励磁コイル３１と検知コイル３２のそれぞれが形成する空間内を移動し、その際に専用紙１０に形成された識別情報に対応付けされた複数の磁性ワイヤーが励磁コイル３１から発せられる所定の交番磁界を受けて順次磁化され、磁化反転時に発する急峻な磁気パルスが検知コイル３２を介して順次検知され、検知結果に基づき専用紙１０の識別情報が磁性体検知装置３０により検知され読み取られる。
【００３５】
磁性体検知装置３０によって読み取られた識別情報は、制御部４０へ出力され、制御部４０が磁性体検知装置３０で読み取られた専用紙１０の識別情報と、画像処理部２０で読み取られた原稿１の画情報とを対応付けて図示せぬデータベースへ記憶管理し、文書管理を行う。
【００３６】
このように動作する複写機１００を用いることにより、原稿１の画情報と原稿１の画情報が複写印刷された専用紙１０の識別情報とを対応付けて文書管理することができる。
【００３７】
また、文書管理された原稿を複写機で複写する際、複写機が原稿に付与された識別情報に基づき原稿が複写可または複写不可のいずれかを判別し、複写不可と判別した場合は、複写禁止動作を行うような構成とすることで、不用意な複写等による機密情報の漏洩を防止することも可能となる。
【００３８】
この場合は、磁性体検知装置３０の励磁コイル３１及び検知コイル３２を原稿１に付与された磁性体が所定の磁界を受けることで発する信号が検知できる位置に配設することで実現可能となる。
【００３９】
ところで、図１で示した複写機１００により原稿１の画情報と当該画情報を複写印刷した専用紙１０の識別情報とを対応付けて文書管理する場合は、専用紙１０の識別情報に対応付けされた少なくとも一種類以上の複数の磁性ワイヤーが予め付与された専用紙１０を用いるように構成されており、この専用紙１０の識別情報は、専用紙１０に付与された磁性ワイヤーが所定の磁界を受けることで磁化され、磁化反転時に発する急峻な磁気パルスの検知結果に基づき磁性体検知装置３０が非接触で検知して読み取るように構成されている。
【００４０】
図２は、複写機１００に適用された本発明に係わる磁性体検知装置３０の要部の構成を示すブロック図である。
【００４１】
磁性体検知装置３０は、複数の磁性ワイヤーで対応付けされて表現された識別情報３００が付与された専用紙１０を励磁コイル３１及び検知コイル３２の直下を所定の速度Ｖで搬送して移動させるか、もしくは励磁コイル３１及び検知コイル３２の直下を専用紙１０が所定の速度で通過するように励磁コイル３１及び検知コイル３２を移動させることで、専用紙１０に付与された複数の磁性ワイヤーを励磁コイルにより順次励磁し、励磁された磁性ワイヤーが磁化反転時に発する磁気パルスを検知コイル３２を介して非接触で順次検出し、検出結果に基づき専用紙１０に付与された磁性ワイヤーの数、もしくは磁性ワイヤーの数と種類、もしくは磁性ワイヤーの数と種類と配置パターンに基づき専用紙１０の識別情報３００を多ビット情報で識別できるように構成されている。
【００４２】
図２に示すように、磁性体検知装置３０は、励磁コイル３１を介して所定の交番磁界を発生させるための制御を行う送信器３３と、励磁コイル３１から発せられる所定の交番磁界中を専用紙１０が移動通過することで、専用紙１０に付与された識別情報３００に対応付けされた複数の磁性ワイヤーが順次磁化され、これら複数の磁性ワイヤーが磁化反転時に発する急峻な磁気パルスを検知コイル３２を介して順次検出する受信器３４と、受信器３４が検出した検出信号から励磁コイル３１の漏洩磁界による影響を抑える信号処理を行う連続パルス検知器３６と、連続パルス検知器３６で信号処理されて出力される確定連続信号に基づき専用紙１０の識別情報３００を検知し、検知した識別情報を出力する計数装置３７と、交番磁界の周期に応じたタイミングで交番磁界や磁気パルスを受信器３４が検知できるように送信器３３と受信器３４とのタイミング制御を行うタイミング制御部３５を備えている。
【００４３】
このように構成された磁性体検知装置３０の動作を簡単に説明すると、例えば送信器３３が周波数１ｋＨｚの電流を励磁コイル３１へ流す制御を行うことにより、周波数１ｋＨｚの交番磁界が励磁コイル３１の形状に対応した所定の空間に発生する。
【００４４】
タイミング制御部３５は、送信器３３で生成された周波数１ｋＨｚの電流の立ち上がり方向で電流値が０になる時間、すなわち電流の向きが負から正へ逆転する時の時間を検出し、この検出した時間に交番磁界の一周期に一回のタイミングで受信器３４へ基準信号を出力する。
【００４５】
受信器３４は、タイミング制御部３５から出力された基準信号のタイミングに基づき検知コイル３２で検出された検出信号を取り込む。
【００４６】
連続パルス検知器３６は、受信器３４で検出されたパルス信号をデジタル化し、デジタル化したパルス信号のうちの明瞭なパルス信号で所定の閾値を超える出力のパルス信号が検出された期間を示す確定連続信号を生成し出力する。
【００４７】
なお、連続パルス検知器３６及び連続パルス検知器３６での信号処理動作は、本発明の要部であるので詳細説明は、後述する。
【００４８】
計数装置３７は、連続パルス検知器３６から出力された確定連続信号に基づき専用紙１０の識別情報を検知し、検知結果を制御部４０へ出力する。
【００４９】
このように構成された磁性体検知装置３０が適用された複写機１００で用いられる専用紙１０について図３を参照しながら詳細に説明する。
【００５０】
図３は、複数の磁性ワイヤーで表現された識別情報３００が付与された専用紙１０と、磁性ワイヤーの特性の一例を示す図である。
【００５１】
図３（ａ）は、３本の磁性ワイヤー３０１、３０２、３０３で表現された識別情報が付与された専用紙１０の一例を示す図であり、図３（ｂ）は、各磁性ワイヤー３０１、３０２、３０３の磁化特性を示す図である。
【００５２】
なお、専用紙１０に付与する磁性ワイヤーは、複数種類の磁性ワイヤーを組み合わせて付与することが可能であり、図３においては、説明の便宜上、一種類の磁性ワイヤーを３本用いた例が示してある。
【００５３】
図３（ａ）に示すように、専用紙１０には、同一の大きさと磁化特性を有する３本の磁性ワイヤー３０１、３０２、３０３が等間隔Ｐで配置されて形成された識別情報が付与されている。
【００５４】
各磁性ワイヤー３０１、３０２、３０３は、所定の長さと線径を有しており、専用紙１０の搬送方向（図中の矢印方向）と平行な方向に各磁性ワイヤー３０１、３０２、３０３が配置間隔Ｐの等間隔で配置されて付与されている。
【００５５】
また、各磁性ワイヤー３０１、３０２、３０３は、図３（ｂ）に示すように、長方形状の磁化曲線（Ｂ−Ｈ曲線）の磁気特性を有するアモルファス磁性ワイヤーであり、このような磁化曲線を有する磁性ワイヤー３０１、３０２、３０３が交番磁界中に置かれると、各磁性ワイヤー３０１、３０２、３０３が有する固有の保磁力Ｈ１（図３（ｂ）参照）を超える磁界強度の交番磁界を受けることで磁化反転時に急峻な磁気パルスを発する、所謂大バルクハウゼン効果の特性を示す。
【００５６】
図４は、各磁性ワイヤー３０１、３０２、３０３が所定の交番磁界を受けることで磁化反転時に発する急峻な磁気パルスとその検出信号を模式的に示した模式図である。
【００５７】
図４（ａ）は、専用紙１０が一定の搬送速度Ｖで搬送されて励磁コイル３１及び検知コイル３２内を移動する様子を示す図であり、図４（ｂ）は、各磁性ワイヤー３０１、３０２、３０３が所定の交番磁界４０１を受けることで磁化反転時に発する急峻な磁気パルスの検出信号４０２を示す図であり、図４（ｃ）は、検出信号４０２から交番磁界成分の信号４０１を除去後、増幅してノイズ成分を除去した磁気パルスに対応した検出パルス信号４０３を示す図である。
【００５８】
なお、図４（ｃ）に示される検出パルス信号４０３は、説明の便宜上、図４（ｂ）に示される検出信号４０２の時間軸の間隔に対して長く設定された状態で示したものである。
【００５９】
図４（ａ）に示すように、専用紙１０が搬送速度Ｖで励磁コイル３１及び検知コイル３２内を搬送されて移動することで専用紙１０に付与された磁性ワイヤー３０１、３０２、３０３が励磁コイル３１及び検知コイル３２直下を順次通過していく。
【００６０】
各磁性ワイヤー３０１、３０２、３０３は、励磁コイル３１及び検知コイル３２直下を通過する際に励磁コイルが発する交番磁界を受けて磁化し、磁化反転時に大バルクハウゼン効果による急峻な磁気パルスを発する。
【００６１】
各磁性ワイヤー３０１、３０２、３０３が磁化反転時に発する磁気パルスは、検知コイル３２で受信され図４（ｂ）に示すような検出信号４０２で検出される。
【００６２】
検出信号４０２には磁性ワイヤー３０１、３０２、３０３が磁化反転時に発する磁気パルスに対応した検出パルス信号Ａ、Ｂの他に交番磁界に対応した交番磁界信号４０１が検出される。
【００６３】
検出パルス信号Ａは、保磁力Ｈ１を有する磁性ワイヤー３０１、３０２、３０３がタイミング制御部３５から出力された基準信号からの時間ｔａで磁界強度が略Ｈ１になった時の交番磁界を受けて磁化反転し、その際に磁性ワイヤー３０１、３０２、３０３が発する急峻な磁気パルスに対応して検出されるパルス信号である。
【００６４】
また、検出パルス信号Ｂは、磁性ワイヤー３０１、３０２、３０３が基準信号からの時間ｔｂで磁界強度が略−Ｈ１になった時の交番磁界を受けて磁化反転し、その際に磁性ワイヤー３０１、３０２、３０３が発する急峻な磁気パルスに対応して検出されるパルス信号である。
【００６５】
検出信号４０２から交番磁界成分の交番磁界信号４０１を除去し、パルス信号Ａ、Ｂを増幅してノイズ成分を除去すると図４（ｃ）に示すような検出パルス信号４０３が検出される。
【００６６】
ところが、所定の長さを有する磁性ワイヤーが所定の速度で励磁コイル３１及び検知コイル３２直下を通過して移動する場合には、磁性ワイヤーが励磁コイル３１及び検知コイル３２直下近傍の位置にある場合は、磁性ワイヤーが交番磁界を受けて磁化反転時に発する磁気パルスは、一定出力の明瞭なパルス信号で検出されるが、磁性ワイヤーが励磁コイル３１及び検知コイル３２に近づく、あるいは遠ざかる位置にある場合には磁性ワイヤーが励磁コイル３１の漏洩磁界の影響により磁性ワイヤーが発する磁気パルスが不安定なパルス信号で検出される。
【００６７】
図５及び図６は、専用紙１０が一定の搬送速度Ｖで搬送されて励磁コイル３１及び検知コイル３２内を移動することで専用紙１０に付与された磁性ワイヤー３０１、３０２、３０３が交番磁界を受けて磁化反転時に発する磁気パルスの検出信号の一例を励磁コイル３１の漏洩磁界の影響を受けない場合の検出パルス信号５００（図５）と励磁コイル３１の漏洩磁界の影響を受けた場合の検出パルス信号６００（図６）とで示した図である。
【００６８】
図５において、図５（ａ）は、励磁コイル３１の漏洩磁界の影響を受けない場合の専用紙１０の磁性ワイヤー３０１と励磁コイル３１及び検知コイル３２との位置関係を示す図、図５（ｂ）は、図５（ａ）に示した磁性ワイヤー３０１の各位置Ｐ２〜Ｐ６での各検出パルス信号５００を示す図、図６（ａ）は、励磁コイル３１の漏洩磁界の影響を受けた場合の専用紙１０の磁性ワイヤー３０１と励磁コイル３１及び検知コイル３２との位置関係を示す図、図６（ｂ）は、図６（ａ）に示した磁性ワイヤー３０１の各位置Ｐ２〜Ｐ６での検出パルス信号６００を示す図である。
【００６９】
図５（ａ）、（ｂ）に示すように、励磁コイル３１の漏洩磁界の影響を受けない場合は、専用紙１０が一定の搬送速度Ｖで搬送されて専用紙１０に付与された磁性ワイヤー３０１が図中の位置Ｐ１、Ｐ２、Ｐ３の経路で励磁コイル３１及び検知コイル３２に近づき、位置Ｐ４で励磁コイル３１及び検知コイル３２直下を通過し、位置Ｐ５、Ｐ６、Ｐ７の経路で励磁コイル３１及び検知コイル３２から遠ざかることで図５（ｂ）に示すよな検出パルス信号５００が検出される。
【００７０】
具体的には、励磁コイル３１が発する交番磁界により磁性ワイヤー３０１が励磁コイル３１及び検知コイル３２に近づく位置Ｐ３近傍を通過したあたりから磁性ワイヤー３０１の磁化反転による磁気パルスが検出され、励磁コイル３１及び検知コイル３２直下の位置Ｐ４近傍で磁性ワイヤー３０１の磁気反転による磁気パルスの検出出力が最も大きく検出され、励磁コイル３１及び検知コイル３２から遠ざかる位置Ｐ５近傍で磁性ワイヤー３０１の磁気反転による磁気パルスが検出出力は小さいが検出される。
【００７１】
また、図６（ａ）、（ｂ）に示すように、励磁コイル３１の漏洩磁界の影響を受ける場合は、図５（ａ）の場合と同様に、一定の搬送速度Ｖで搬送される専用紙１０に付与された磁性ワイヤー３０１が専用紙１０の移動により、図中の位置Ｐ１〜Ｐ７の経路で励磁コイル３１及び検知コイル３２直下を通過して移動すると、図６（ｂ）に示すような検出パルス信号６００が検出される。
【００７２】
具体的には、磁性ワイヤー３０１が励磁コイル３１及び検知コイル３２直下位置Ｐ４近傍にある時は、磁性ワイヤー３０１の磁気反転による磁気パルスの検出出力が最も大きく検出されるが、磁性体３０１が励磁コイル３１に近づく位置Ｐ３近傍、もしくは磁性体３０１が励磁コイル３１及び検知コイル３２直下を通過後、励磁コイル３１及び検知コイル３２から遠ざかる位置Ｐ５近傍においても励磁コイル３１の漏洩磁界により磁性ワイヤー３０１の磁気反転による磁気パルスが大、小の不安定な出力で検出される。
【００７３】
なお、専用紙１０に付与された磁性ワイヤー３０２、３０３も磁性ワイヤー３０１と大きさ及び磁化特性が同一であるので磁性ワイヤー３０１と同様な検出パルス信号５００、検出パルス信号６００が検出される。
【００７４】
このように一定の搬送速度Ｖで搬送される専用紙１０に付与された磁性ワイヤーは、励磁コイル３１の漏洩磁界により磁性ワイヤーが励磁コイル３１及び検知コイル３２直下近傍の位置にある場合は、磁性ワイヤーの磁気反転による磁気パルスの検出出力が一定出力の明瞭なパルス信号で検出されるが、磁性ワイヤーが励磁コイル３１及び検知コイル３２に近づく、あるいは遠ざかる位置Ｐ３及びＰ５近傍では励磁コイル３１の漏洩磁界の影響により磁性ワイヤーの磁気反転による磁気パルスが不安定なパルス信号で検出される。
【００７５】
このことは、専用紙１０に付与された磁性ワイヤーの検知精度を低下させ、磁性ワイヤーの数や種類で対応付けられて表現された専用紙１０の識別情報の誤検知の原因となる。
【００７６】
そこで、本発明に係わる磁性体検知装置３０は、励磁コイル３１の漏洩磁界の影響により検出される磁性ワイヤーが発する磁気パルスの不安定な検出信号の影響を抑えるように、検出されたパルス信号の列のうちの連続して一定出力を超えるパルス信号が検出された幅を検出し、この検出信号を磁性ワイヤーが励磁コイル３１及び検知コイル３２直下近傍通過時に発した磁気パルスの検出信号として検知するような構成とした。
【００７７】
図７は、励磁コイル３１の漏洩磁界の影響により検出される磁性ワイヤーが発する磁気パルスの不安定な検出信号の影響を抑えるように構成された本発明に係わる磁性体検知装置１００の連続パルス検知器３６の要部を示す構成図である。
【００７８】
図７に示すように、連続パルス検知器３６は、検知信号コンパレータ３６１と、単安定マルチバイブレータ３６２と、積分器３６３と、上限電圧コンパレータ３６４と、下限電圧コンパレータ３６５と、セット／リセットＦＬＩＰＦＬＯＰ３６６を備えている。
【００７９】
検知信号コンパレータ３６１と上限電圧コンパレータ３６４と下限電圧コンパレータ３６５とは比較回路であり、単安定マルチバイブレータ３６２はマルチバイブレータ、積分器３６３は積分回路、セット／リセットＦＬＩＰＦＬＯＰ３６６はＦＬＩＰＦＬＯＰ回路でそれぞれ構成されている。
【００８０】
具体的には、検知信号コンパレータ３６１は、受信器３４から増幅されて出力されたパルス信号のうちの所定の閾値の検出出力を超えるパルス信号を選択して検出し、検出したパルス信号をデジタル化して出力する。
【００８１】
単安定マルチバイブレータ３６２は、検知信号コンパレータ３６１でデジタル化されて出力されたパルス信号に対して予め設定された所定のパルス幅のパルス信号を発生させる信号処理を行う。
【００８２】
すなわち、検知信号コンパレータ３６１でデジタル化されたパルス信号のパルス幅よりも長いパルス幅のパルス信号を発生させ、再トリガー動作による信号処理を行う。  
積分器３６３は、単安定マルチバイブレータ３６２から出力されたパルス信号に対してパルス信号のパルス幅に応じた大きさの電圧値のアナログ信号を発生させる信号処理を行う。
【００８３】
積分器３６３から出力されたアナログ信号（出力電圧）は、上限電圧コンパレータ３６４と下限電圧コンパレータ３６５とに入力され、上限電圧コンパレータ３６４が積分器３６３から出力されたアナログ信号（出力電圧）と予め設定された上限値（所定の電圧値）とを比較し、積分器３６３から出力されたアナログ信号が上限値よりも大きい場合をＯＮ、小さい場合をＯＦＦのパルス信号を発生させる信号処理を行う。
【００８４】
また、下限電圧コンパレータ３６５は、積分器３６３から出力されたアナログ信号（出力電圧）と予め設定された下限値（所定の電圧値）とを比較し、積分器３６３から出力されたアナログ信号が下限値よりも大きい場合をＯＮ、小さい場合をＯＦＦのパルス信号を発生させる信号処理を行う。
【００８５】
上限電圧コンパレータ３６４及び下限電圧コンパレータ３６５からそれぞれ出力されるパルス信号は、セット／リセットＦＬＩＰＦＬＯＰ３６６に入力され、セット／リセットＦＬＩＰＦＬＯＰ３６６が下限電圧コンパレータ３６５のパルス信号がＯＮで上限電圧コンパレータ３６４のパルス信号がＯＮとなった時にＯＮとし、上限電圧コンパレータ３６４のパルス信号がＯＦＦで下限電圧コンパレータ３６５のパルス信号がＯＦＦとなった時にＯＦＦとするパルス信号を発生させる信号処理を行う。
【００８６】
セット／リセットＦＬＩＰＦＬＯＰ３６６から出力されるパルス信号は、計数装置３７に出力され、計数装置３７がセット／リセットＦＬＩＰＦＬＯＰ３６６から出力されるパルス信号に対応付けられた識別情報を検知する。
【００８７】
なお、ここでは、連続パルス検知器３６が比較回路、マルチバイブレータ、積分回路、ＦＬＩＰＦＬＯＰ回路で構成された例を示してあるが、他の回路を用いて前述した連続パルス検知器３６の動作を行うようにしてもよい。
【００８８】
図８は、連続パルス検知器３６の信号処理動作の一例を示した図である。
【００８９】
なお、図８においては、説明の便宜上、図６（ｂ）で示した検出パルス信号６００を例として示してある。
【００９０】
図８（ａ）に示すように、一定の搬送速度Ｖで搬送される専用紙１０に付与された磁性ワイヤー３０１が専用紙１０の移動により、図中のｐ２、ｐ３、ｐ４、ｐ５、ｐ６の経路で励磁コイル３１及び検知コイル３２直下を通過して移動することで磁性ワイヤー３０１が発する磁気パルスが検知コイル３２を介して受信器３４で検出され、受信器３４から検出パルス信号６００に対応した受信器出力信号６００が出力される。
【００９１】
受信器出力信号６００は、前にも述べたように磁性ワイヤー３０１が励磁コイル３１及び検知コイル３２直下近傍の位置Ｐ４にある場合は、磁性ワイヤー３０１が発する磁気パルスが一定出力の明瞭なパルス信号で検出されるが、磁性ワイヤー３０１が励磁コイル３１及び検知コイル３２に近づく、あるいは遠ざかる場合には、励磁コイル３１の漏洩磁界の影響を受ける位置Ｐ３、Ｐ５において磁性ワイヤー３０１が発する磁気パルスが不安定なパルス信号で検出される。
【００９２】
受信器３４から出力された受信器出力信号６００は、連続パルス検知器３６の検知信号コンパレータ３６１に入力され、検知信号コンパレータ３６１が受信器出力信号６００のうちの所定の閾値電圧を超えるパルス信号を選択して検出し、検出したパルス信号をデジタル化して図８（ｂ）に示すような検知信号コンパレータ出力信号６１０を出力する。
【００９３】
検知信号コンパレータ３６１から出力された検知信号コンパレータ出力信号６１０は、単安定マルチバイブレータ３６２へ入力され、単安定マルチバイブレータ３６２が検知信号コンパレータ出力信号６１０のパルス幅が長くなるように予め設定された所定のパルス幅のパルス信号を発生させ、再トリガー動作による信号処理を行う。
【００９４】
単安定マルチバイブレータ３６２での再トリガー動作による信号処理により検知信号コンパレータ出力信号６１０は、図８（ｃ）に示すような再トリガー信号６２０に変換されて出力される。
【００９５】
単安定マルチバイブレータ３６２から出力された再トリガー信号６２０は、積分器３６３へ入力され、パルス信号の幅が短い信号は、電圧が小さく、パルス信号の幅が長い信号は、電圧が大きなアナログ信号に信号処理されて図８（ｄ）に示すような積分器出力信号６３０が積分器３６３から出力される。
【００９６】
積分器３６３から出力された積分器出力信号６３０は、上限電圧コンパレータ３６４と下限電圧コンパレータ３６５とにそれぞれ入力され、上限電圧コンパレータ３６４が積分器出力信号６３０が予め設定された上限値（所定の電圧値）よりも大きいか否かを判別し、図８（ｅ）に示すような上限電圧コンパレータ出力信号６４０を出力する。
【００９７】
また、下限電圧コンパレータ３６５は、積分器出力信号６３０が予め設定された下限値（所定の電圧値）よりも大きいか否かを判別し、図８（ｆ）に示すような下限電圧コンパレータ出力信号６５０を出力する。
【００９８】
上限電圧コンパレータ３６４から出力された上限電圧コンパレータ出力信号６４０と下限電圧コンパレータ３６５から出力された下限電圧コンパレータ出力信号６５０は、それぞれセット／リセットＦＬＩＰＦＬＯＰ３６６に入力され、セット／リセットＦＬＩＰＦＬＯＰ３６６が上限電圧コンパレータ出力信号６４０及び下限電圧コンパレータ３６５に基づき下限電圧コンパレータ３６５及び上限電圧コンパレータ３６４がＯＮの時をＯＮ、上限電圧コンパレータ３６４及び下限電圧コンパレータ３６５がＯＦＦの時をＯＦＦとする信号処理を行い、図８（ｇ）に示すような確定連続信号６６０を出力する。
【００９９】
図９は、前述で説明した搬送速度Ｖで搬送されている専用紙１０に付与された複数の磁性ワイヤー３０１、３０２、３０３が励磁コイル３１及び検知コイル３２直下を順次通過し、各磁性ワイヤーが磁化反転時に発する磁気パルスに対応して検出される確定連続信号を時系列で示した図である。
【０１００】
図９において、図９（ａ）乃至（ｃ）は、専用紙１０に形成された各磁性ワイヤー３０１、３０２、３０３がそれぞれ励磁コイル３１及び検知コイル３２直下を順次通過し移動する様子を示した図であり、図９（ｄ）から（ｆ）は、その際に検出された受信器出力信号と受信器出力信号に対応した確定連続信号を示す図である。
【０１０１】
図９（ａ）乃至（ｃ）に示すように、専用紙１０には専用紙１０の搬送方向（図中の矢印方向）の最前方側から磁性ワイヤー３０１、３０２、３０３の順に配置間隔Ｐの等間隔で各磁性ワイヤーが配置付与されているので、専用紙１０が所定の搬送速度Ｖで励磁コイル３１及び検知コイル３２内を搬送されて移動することで、磁性ワイヤー３０１、３０２、３０３の順に各磁性ワイヤーが励磁コイル３１から発せられる交番磁界及び励磁コイル３１の漏洩磁界の影響を受けて磁化反転し、磁化反転時の各磁性ワイヤーが発する磁気パルスが検知コイル３２を介して検出される。
【０１０２】
具体的には、例えば、図９（ａ）に示すように、搬送速度Ｖで搬送されている専用紙１０の磁性ワイヤー３０１が励磁コイル３１が発する交番磁界及び励磁コイル３１の漏洩磁界の影響を受けて磁化反転時に発する磁気パルスは、検知コイル３２を介して受信器３４で図９（ｄ）に示すような受信器出力信号６００で検出され、連続パルス検知器３６が受信器出力信号６００に基づき確定連続信号６６０を出力する。
【０１０３】
また、図９（ｂ）に示すように、磁性ワイヤー３０２が発する磁気パルスが検知コイル３２を介して受信器３４で図９（ｅ）に示すような受信器出力信号６０１で検出され、連続パルス検知器３６が受信器出力信号６０１に基づき確定連続信号６６１を出力する。
【０１０４】
更に、図９（ｃ）に示すように、磁性ワイヤー３０３が発する磁気パルスが検知コイル３２を介して受信器３４で図９（ｆ）に示すような受信器出力信号６０２で検出され、連続パルス検知器３６が受信器出力信号６０２に基づき確定連続信号６６２を出力する。
【０１０５】
このように、複数の磁性ワイヤー３０１、３０２、３０３が所定の配置間隔Ｐの等間隔で配置されて形成された専用紙１０が所定の速度Ｖで励磁コイル３１及び検知コイル３２内を移動することで専用紙１０に形成された複数の磁性ワイヤー３０１、３０２、３０３が交番磁界及び励磁コイル３１の漏洩磁界の影響を受けて順次磁化反転し、その際に発せられる磁気パルスに対応した確定連続信号６６０、６６１、６６２が検出される。
【０１０６】
計数装置３７は、連続パルス検知器３６で検出され出力される確定連続信号６６０、６６１、６６２に基づき各専用紙に付与された識別情報を検知する。
【０１０７】
図１０は、計数装置３７が確定連続信号６６０、６６１、６６２に基づき識別情報を検知する方法を示す図である。
【０１０８】
図１０において、図１０（ａ）は、配置間隔Ｐの等間隔で形成された３本の磁性ワイヤー３０１、３０２、３０３から成る識別情報が付与された専用紙１０と、連続パルス検知器３６から出力される専用紙１０の確定連続信号パターン及び計数装置３７から出力される識別情報を示す図である。
【０１０９】
図１０（ａ）に示すように、連続パルス検知器３６から出力される専用紙１０の確定連続信号パターン６７０には、各磁性ワイヤー３０１、３０２、３０３が発する磁気パルスに対応した３本の確定連続信号６６０、６６１、６６２が検出される。
【０１１０】
このことから検出された確定連続信号の数に応じて専用紙に付与された識別情報を検知する。
【０１１１】
具体的には、計数装置３７は、専用紙１０に付与された磁性ワイヤー３０１、３０２、３０３の３本の磁性ワイヤーの数に応じて連続パルス検知器３６から出力される３個の確定連続信号６６０、６６１、６６２を計数し、確定連続信号の数が３個検出された場合は、識別情報を「Ａ」と検知する。
【０１１２】
また、図１０（ｂ）に示すように、２本の磁性ワイヤー３０１、３０２から成る識別情報が付与された専用紙１１に対応して連続パルス検知器３６から出力される確定連続信号パターン６７１の２個の確定連続信号６６０、６６１を計数し、確定連続信号の数が２個検出された場合は、識別情報を「Ｂ」と検知する。
【０１１３】
また、図１０（ｃ）に示すように、１本の磁性ワイヤー３０１から成る識別情報が付与された専用紙１１に対応して連続パルス検知器３６から出力される確定連続信号パターン６７２の１個の確定連続信号６６０を計数し、確定連続信号の数が１個検出された場合は、識別情報を「Ｃ」と検知する。
【０１１４】
このように、計数装置３７は連続パルス検知器３６から出力される確定連続信号の個数に応じて専用紙に付与された識別情報を検知する。
【０１１５】
図１１は、計数装置３７が連続パルス検知器３６から出力される確定連続信号の個数に応じて専用紙に付与された識別情報を検知する方法とは他の方法を示す図である。
【０１１６】
図１１において、図１１（ａ）は、配置間隔Ｐの等間隔で形成された３本の磁性ワイヤー３０１、３０２、３０３から成る識別情報が付与された専用紙１０と、連続パルス検知器３６から出力される専用紙１０の確定連続信号パターン６７０及び計数装置３７から出力される識別情報を示す図である。
【０１１７】
図１１（ａ）に示すように、連続パルス検知器３６から出力される専用紙１０の確定連続信号パターン６７０には、各磁性ワイヤー３０１、３０２、３０３が発する磁気パルスに対応した３本の確定連続信号６６０、６６１、６６２が検出される。
【０１１８】
各磁性ワイヤー３０１、３０２、３０３が発する磁気パルスに対応してそれぞれ検出される確定連続信号６６０、６６１、６６２は、確定連続信号６６０が磁性ワイヤー３０１が励磁コイル３１及び検知コイル３２直下を通過する時間に対応する検出時間ｔ４近傍で検出され、確定連続信号６６１が磁性ワイヤー３０２が励磁コイル３１及び検知コイル３２直下を通過する時間に対応する検出時間ｔ６近傍で検出され、確定連続信号６６２が磁性ワイヤー３０３が励磁コイル３１及び検知コイル３２直下を通過する時間に対応する検出時間ｔ８近傍で検出される。
【０１１９】
このことから検出時間ｔ４近傍、ｔ６近傍、ｔ８近傍でそれぞれ確定連続信号が検出されているか否かに応じて「１」、「０」の値に対応付けて検知する。
【０１２０】
具体的には、検出時間ｔ４近傍での確定連続信号の有無の情報を１ビット目の情報、検出時間ｔ６近傍での確定連続信号の有無の情報を２ビット目の情報、検出時間ｔ８近傍での確定連続信号の有無の情報を３ビット目の情報として対応付けを行い３ビットの識別情報として検知する。
【０１２１】
例えば、計数装置３７は、専用紙１０から検出される確定連続信号パターン６７０に基づき検出時間ｔ４近傍で確定連続信号６６０が検出されているので１ビット目を「１」、検出時間ｔ６近傍で確定連続信号６６１が検出されているので２ビット目を「１」、検出時間ｔ８近傍で確定連続信号６６２が検出されているので３ビット目を「１」に対応付けした「１１１」の識別情報として検知する。
【０１２２】
また、図１１（ｂ）は、２本の磁性ワイヤー３０１、３０２を配置間隔Ｐで形成されて表現された識別情報が付与された専用紙１１と、連続パルス検知器３６から出力される専用紙１１の確定連続信号パターン６７１及び計数装置３７から出力される識別情報を示す図である。
【０１２３】
専用紙１１の確定連続信号パターン６０１によれば、検出時間ｔ４近傍で確定連続信号６６０を検出、検出時間ｔ６近傍で確定連続信号６６１を検出、検出時間ｔ８近傍で確定連続信号の検出なしであることから専用紙１１の識別情報を「１１０」と検知する。
【０１２４】
また、図１１（ｃ）は、２本の磁性ワイヤー３０１、３０３が配置間隔２Ｐで形成されて表現された識別情報が付与された専用紙１３と、連続パルス検知器３６から出力される専用紙１３の確定連続信号パターン６７３及び計数装置３７から出力される識別情報を示す図である。
【０１２５】
専用紙１３の確定連続信号パターン６７３によれば、検出時間ｔ４近傍で確定連続信号６６０を検出、検出時間ｔ６近傍で確定連続信号の検出なし、検出時間ｔ８近傍で確定連続信号６６２を検出、であることから専用紙１３の識別情報を「１０１」と検知する。
【０１２６】
また、図１１（ｄ）は、２本の磁性ワイヤー３０２、３０３が配置間隔Ｐで形成されて表現された識別情報が付与された専用紙１４と、連続パルス検知器３６から出力される専用紙１４の確定連続信号パターン６７４及び計数装置３７から出力される識別情報を示す図である。
【０１２７】
専用紙１４の確定連続信号パターン６７４によれば、検出時間ｔ４近傍で確定連続信号の検出なし、検出時間ｔ６近傍で確定連続信号６６１を検出、検出時間ｔ８近傍で確定連続信号６６２を検出、であることから専用紙１４の識別情報を「０１１」と検知する。
【０１２８】
また、図１１（ｅ）は、１本の磁性ワイヤー３０１が形成されて表現された識別情報が付与された専用紙１２と、連続パルス検知器３６から出力される専用紙１２の確定連続信号パターン６７２及び計数装置３７から出力される識別情報を示す図である。
【０１２９】
専用紙１２の確定連続信号パターン６７２によれば、検出時間ｔ４近傍で確定連続信号６６０を検出、検出時間ｔ６近傍で確定連続信号の検出なし、検出時間ｔ８近傍で確定連続信号の検出なし、であることから専用紙１２の識別情報を「１００」と検知する。
【０１３０】
このように、計数装置３７は連続パルス検知器３６で検出された確定連続信号パターンに基づき各専用紙に付与された各専用紙の識別情報を多ビット情報で検知する。
【０１３１】
これまでの説明は、専用紙に付与された識別情報が一種類の複数の磁性ワイヤーを組み合わせて表現された識別情報の検知方法の一例について説明した。
【０１３２】
ここでは、専用紙に付与された識別情報が複数種類の複数の磁性ワイヤーを組み合わせて表現された専用紙の識別情報を検知する方法の一例について説明する。
【０１３３】
図１２は、長さの異なる複数の磁性ワイヤーで表現された識別情報が付与された専用紙と専用紙に形成された識別情報に対応付けられら複数ビット情報の一例を示す図である。  図１２において、図１２（ａ）は、専用紙１５に付与された３本の磁性ワイヤー３０４、３０２、３０３の配置状態を示す図であり、図１２（ｂ）は、連続パルス検知器３６から出力される専用紙７５の確定連続信号パターン６７５を示す図、図１２（ｃ）は、専用紙１５の確定連続信号パターン６７５に対応付けられた複数ビットの識別情報を示す図である。
【０１３４】
なお、専用紙１５に付与された長さの異なる複数の磁性ワイヤーの本数及び組み合わせは、特に限定されるものではないが、図１２においては、説明の便宜上、二種類の磁性ワイヤーを３本を組み合わせて表現された識別情報が付与された場合を想定して説明する。  また、二種類の磁性ワイヤー３本のうちの磁性ワイヤー３０２、３０３は、同一の大きさと磁気特性を有する磁性ワイヤーであり、磁性ワイヤー３０４は、磁性ワイヤー３０２、３０３よりも長さが短く保磁力の小さな値を有する場合を例として説明する。
【０１３５】
図１２（ａ）に示すように、専用紙１５には、専用紙１５を識別可能とする識別情報が同一の大きさと磁気特性を有する２本の磁性ワイヤー３０２、３０３と磁性ワイヤー３０２、３０３よりも長さが短く保磁力の小さい磁性ワイヤー３０４が配置間隔Ｐの等間隔で配置されて付与されている。
【０１３６】
励磁コイル３１及び検知コイル３２直下を一定の搬送速度Ｖで専用紙１５が移動すると、専用紙１５に付与された各磁性ワイヤー３０４、３０２、３０３は、専用紙１５の搬送方向（図中の矢印方向）の最前方側から順次形成されている磁性ワイヤー３０４、３０２、３０３の順序で励磁コイル３１から発せられる交番磁界及び励磁コイル３１の漏洩磁界の影響を受けて磁化し、各磁性ワイヤーが磁化反転時に発する磁気パルスが検知コイル３２を介して図１２（ｂ）に示すような確定連続信号パターン６７５として検出される。
【０１３７】
図１２（ｂ）に示すように、確定連続信号パターン６７５には、検出時間ｔ４近傍で磁性ワイヤー３０４の磁化反転による磁気パルスに対応した確定連続信号６６４が検出され、検出時間ｔ６近傍で磁性ワイヤー３０２の磁化反転による磁気パルスに対応した確定連続信号６６２が検出され、検出時間ｔ８近傍で磁性ワイヤー３０３の磁化反転による磁気パルスに対応した確定連続信号６６３が検出される。
【０１３８】
各確定連続信号６６４、６６２、６６３の信号幅Δｔ４、Δｔ６、Δｔ８を比較してみると、確定連続信号６６４の信号幅Δｔ４は、確定連続信号６６２、６６３の各信号幅Δｔ６、Δｔ８と比べて短く検出される。
【０１３９】
このことは、磁性ワイヤー３０４の長さが磁性ワイヤー３０２、３０３よりも長さが短かく保磁力が小さいために磁性ワイヤー３０４、３０２、３０３が一定速度で励磁コイル３１及び検知コイル３２直下を通過して移動する場合には、磁性ワイヤー３０４と磁性ワイヤー３０２、３０３とでは励磁コイル３１が発する交番磁界や漏洩磁界の影響を受ける時間が磁性ワイヤー３０４の方が磁性ワイヤー３０２、３０３よりも短くなり、結果として磁性ワイヤー３０４が発する磁気パルスに対応した確定連続信号６６４の信号幅Δｔ４が磁性ワイヤー３０２、３０３がそれぞれ発する磁気パルスに対応した確定連続信号６６２、６６３の信号幅Δｔ６、Δｔ８よりも短く検出される。
【０１４０】
このことから、確定連続信号が検出された検出時間ｔと、検出された確定連続信号の信号幅Δｔを検知することで専用紙１５に付与された磁性ワイヤー３０４、３０２、３０３のうちの磁性ワイヤー３０４が専用紙１５の搬送方向（図中の矢印方向）の最前方側から何番目に付与されているかが特定でき、専用紙１５に付与された磁性ワイヤー３０４、３０２、３０３の配置状態に対応した識別情報を検知することができる。
【０１４１】
具体的には、連続パルス検知器３６から出力される確定連続信号パターン６７５に基づき計数装置３７が検出時間ｔ４近傍での確定連続信号の検出有無の情報を１ビット目の情報、検出時間ｔ６近傍での確定連続信号の検出有無を２ビット目の情報、検出時間ｔ８近傍での確定連続信号の検出有無を３ビット目の情報として対応付けた３ビット情報に磁性ワイヤー３０４の磁気パルスに対応した確定連続信号６６４が確定連続信号パターン６７５の何番目に検出されているかの情報を付加した識別情報に対応付けて検知する。
【０１４２】
例えば、専用紙１５に対応して連続パルス検知器３６から出力される確定連続信号パターン６７５に基づき計数装置３７は、図１２（ｃ）に示すように検出時間ｔ４近傍で確定連続信号６６４が検出されていることから１ビット目の情報を「１」、検出時間ｔ６近傍で確定連続信号６６２が検出されていることから２ビット目の情報を「１」、検出時間ｔ８近傍で確定連続信号６６３が検出されていることから３ビット目の情報を「１」と認識し、更に磁性ワイヤー３０４の磁化反転による磁気パルスに対応した確定連続信号６６４が確定連続信号パターン６７５の１番目に「有」で「１」（４ビット目の情報に対応）、２番目に「無」で「０」（５ビット目の情報に対応）、３番目に「無」で「０」（６ビット目の情報に対応）と認識して専用紙１５の識別情報を「１１１１００」と検知する。
【０１４３】
このように、専用紙の識別情報を複数種類の複数の磁性ワイヤーの組み合わせで対応付けて検知することで、より多くのビット情報で表現された専用紙の識別情報を検知することができる。
【０１４４】
図１３は、前述の図１２で説明した磁性ワイヤー３０２、３０３、３０４を組み合わせて表現された識別情報が付与された専用紙１６、１７、１８、１９と、連続パルス検知器３６から出力される各専用紙の確定連続信号パターン６７６、６７７、６７８、６７９及び計数装置３７から出力される各確定連続信号パターンに対応付けされた識別情報を示す図である。
【０１４５】
図１３において、図１３（ａ）は、専用紙の搬送方向（図中の矢印方向）の最前方側から磁性ワイヤー３０２、３０４、３０３の順に配置間隔Ｐの等間隔で配置形成された専用紙１６を示す図であり、図１３（ｅ）は、連続パルス検知器３６から出力される専用紙１６の確定連続信号パターン６７６及び計数装置３７から出力される専用紙１６の識別情報を示す図である。
【０１４６】
図１３（ａ）、（ｅ）に示すように、連続パルス検知器３６から出力される専用紙１６の確定連続信号パターン６７６には、各磁性ワイヤー３０２、３０４、３０３が発する磁気パルスに対応した３個の確定連続信号が検出され、検出時間ｔ４近傍、ｔ６近傍、ｔ８近傍の順にそれぞれ磁性ワイヤー３０２、３０４、３０３が発する磁気パルスに対応した確定連続信号６６２、６６４、６６３がそれぞれ検出される。
【０１４７】
専用紙１６の確定連続信号パターン６７６によれば、検出時間ｔ４近傍で確定連続信号６６２を検出、検出時間ｔ６近傍で確定連続信号６６４を検出、検出時間ｔ８近傍で確定連続信号６６３を検出、更に、磁性ワイヤー３０４が発する磁気パルスに対応した確定連続信号６６４が確定連続信号パターン６７６の２番目で検出されているので専用紙１６に付与された識別情報を「１１１０１０」と検知する。
【０１４８】
また、図１３（ｂ）に示すように、３本の磁性ワイヤー３０２、３０３、３０４が専用紙の搬送方向（図中の矢印方向）の最前方側から磁性ワイヤー３０２、３０３、３０４の順に配置間隔Ｐの等間隔で配置付与された専用紙１７の場合は、連続パルス検知器３６から図１３（ｆ）に示すような確定連続信号パターン６７７が出力され、計数装置３７が確定連続信号パターン６７７に基づき検出時間ｔ４近傍で確定連続信号６６２を検出、検出時間ｔ６近傍で確定連続信号６６３を検出、検出時間ｔ８近傍で確定連続信号６６４を検出、更に、磁性ワイヤー３０４が発する磁気パルスに対応した確定連続信号６６４が確定連続信号パターン６７７の３番目で検出されていると認識して専用紙１７の識別情報を「１１１００１」と検知する。
【０１４９】
また、図１３（ｃ）に示すように、２本の磁性ワイヤー３０４、３０２が専用紙の搬送方向（図中の矢印方向）の最前方側から磁性ワイヤー３０４、３０２の順に配置間隔Ｐで付与された専用紙１８の場合は、連続パルス検知器３６から図１３（ｇ）に示すような確定連続信号パターン６７８が出力され、計数装置３７が確定連続信号パターン６７８に基づき検出時間ｔ４近傍で確定連続信号６６４を検出、検出時間ｔ６近傍で確定連続信号６６２を検出、検出時間ｔ８近傍で確定連続信号の検出なし、更に、磁性ワイヤー３０４が発する磁気パルスに対応した確定連続信号６６４が確定連続信号パターン６７８の１番目で検出されていると認識して専用紙１８の識別情報を「１１０１００」と検知する。
【０１５０】
また、図１３（ｄ）に示すように、２本の磁性ワイヤー３０２、３０４が専用紙の搬送方向（図中の矢印方向）の最前方側から磁性ワイヤー３０２、３０４の順に配置間隔Ｐで付与された専用紙１９の場合は、連続パルス検知器３６から図１３（ｆ）に示すような確定連続信号パターン６７９が出力され、計数装置３７が確定連続信号パターン６７９に基づき検出時間ｔ４近傍で確定連続信号６６２を検出、検出時間ｔ６近傍で確定連続信号６６４を検出、検出時間ｔ８近傍で確定連続信号の検出なし、更に、磁性ワイヤー３０４が発する磁気パルスに対応した確定連続信号６６４が確定連続信号パターン６７９の２番目で検出されていると認識して専用紙１９の識別情報を「１１００１０」と検知する。
【０１５１】
このように、複数種類の複数の磁性ワイヤーを組み合わせて表現された識別情報が専用紙に付与されている場合は、一種類の複数の磁性ワイヤーを組み合わせて表現された識別情報よりも、より多くのビット情報で検知することが可能となる。
【０１５２】
このように、本発明に係わる磁性体検知装置３０は、励磁コイル３１の漏洩磁界の影響により検出される磁性ワイヤーが発する磁気パルスの不安定な検出信号の影響を抑えるように、検出されたパルス信号の列のうちの連続して一定出力を超えるパルス信号が検出された幅を検出し、この検出信号を磁性ワイヤーが励磁コイル３１及び検知コイル３２直下近傍通過時に発した磁気パルスの検出信号として検知するような構成としたので少なくとも一種類以上の複数の磁性ワイヤーを組み合わせて対応付けられた識別情報が付与された専用紙が励磁コイル３１及び検知コイル３２直下を通過するように移動する場合であっても専用紙の識別情報を確実に検知することができる。
【図面の簡単な説明】
【０１５３】
【図１】本発明に係わる磁性体検知装置を適用した複写機１００の要部の構成を示すブロック図
【図２】本発明に係わる磁性体検知装置３０の要部の構成を示すブロック図
【図３】磁性ワイヤーが付与された専用紙１０と、磁性ワイヤーの特性を示す図
【図４】磁性ワイヤーが磁化反転時に発する磁気パルスとその検出信号を示す図
【図５】励磁コイル３１の漏洩磁界の影響を受けない場合の専用紙１０に付与された磁性ワイヤー３０１、３０２、３０３の検出パルス信号５００を示す図
【図６】励磁コイル３１の漏洩磁界の影響を受けた場合の専用紙１０に付与された磁性ワイヤー３０１、３０２、３０３の検出パルス信号６００を示す図
【図７】磁性体検知装置１００の連続パルス検知器３６の要部を示す構成図
【図８】連続パルス検知器３６の信号処理動作の一例を示す図
【図９】磁性ワイヤー３０１、３０２、３０３が付与された専用紙から検出される確定連続信号を時系列で示した図
【図１０】計数装置３７が確定連続信号に基づき識別情報を検知する方法を示す図
【図１１】計数装置３７が確定連続信号に基づき識別情報を検知する他の方法を示す図
【図１２】長さの異なる複数の磁性ワイヤーで表現された識別情報と、その識別情報を検知する方法を示す図
【図１３】長さの異なる複数の磁性ワイヤーを組み合わせて表現された識別情報が付与された専用紙と、その識別情報の検知結果を示す図
【符号の説明】
【０１５４】
１      原稿
２      プラテンカバー
３      プラテンガラス
４      用紙トレイ
５      排紙トレイ
１０、１１、１２、１３、１４、１５、１６、１７、１８、１９  専用紙
２０    画像処理部
３０    磁性体検知装置
３１    励磁コイル
３２    検知コイル
３３    送信器
３４    受信器
３５    タイミング制御部
３６    連続パルス検知器
３６１  検知信号コンパレータ
３６２  単安定マルチバイブレータ
３６３  積分器
３６３  上限電圧コンパレータ
３６４  下限電圧コンパレータ
３６５  セット／リセットＦＬＩＰＦＬＯＰ
３７    計数装置
４０    制御部
５０    画像形成部
５１    露光制御部
５２    感光ドラム
５３    現像器
５４    転写ドラム
５５    定着装置
１００  複写機
３００  識別情報
３０１、３０２、３０３、３０４  大バルクハウゼン効果特性を有する磁性ワイヤー
３１１、３１２  磁歪振動する特性を有する磁性ワイヤー
４０１  交番磁界信号
４０２  検出信号
４０３、５００、６００、６０１、６０２  検出パルス信号
６１０  検知信号コンパレータ出力信号
６２０  再トリガー信号
６３０  積分器出力信号
６４０  上限電圧コンパレータ出力信号
６５０  下限電圧コンパレータ出力信号
６６０、６６１、６６２  確定連続信号
６７０、６７１、６７２、６７３、６７４  確定連続信号パターン
６７５、６７６、６７７、６７８、６７９  確定連続信号パターン
【図１】
2006250871.tif 000003
【図２】
2006250871.tif 000004
【図３】
2006250871.tif 000005
【図４】
2006250871.tif 000006
【図５】
2006250871.tif 000007
【図６】
2006250871.tif 000008
【図７】
2006250871.tif 000009
【図８】
2006250871.tif 000010
【図９】
2006250871.tif 000011
【図１０】
2006250871.tif 000012
【図１１】
2006250871.tif 000013
【図１２】
2006250871.tif 000014
【図１３】
2006250871.tif 000015